(57)【要約】      （修正有）【課題】ハンガーに関し、スタンド全体の負荷性を向上したハンガースタンド強化構造を提供する。【解決手段】スタンド本体１１を有し、その頂面に、ハンガーの両側にある伸縮縦棒が挿設されるために、少なくとも一つの縦方向挿設槽が設けられ、横方向の側辺に、更に、両側のスタンドの間にある横方向支持棒が挿設されるために、少なくとも一つの横方向挿入槽が設けられ、スタンド本体は、その底面の両端と中央に、それぞれ、シーブ挿設穴が設けられ、三つのシーブ挿設穴に三つのシーブセット１２，１３，１４が組み立てられることにより、スタンド全体の負荷能力が向上される。【選択図】図１
0003187061.tif 000002
【実用新案登録請求の範囲】
【請求項１】
頂面に、少なくとも一つの縦方向挿設槽が設けられ、側辺に、少なくとも一つの横方向挿入槽が設けられ、底面の両端と中央において、それぞれ、シーブ挿設穴があるスタンド本体と、
それぞれ、スタンド本体のシーブ挿設穴に貫設されるための貫設柱を有する三つのシーブセットと、
が含有される、
ことを特徴とするハンガースタンド強化構造。
【請求項２】
上記スタンド本体が、底面が開口した長尺状中空体で、内部において、交差して連結された強化リブが配置され、上記スタンド本体の頂面の両側辺に、それぞれ、一段の凹角側辺が形成され、上記らの横方向挿入槽が、上記凹角側辺に設置されることを特徴とする請求項１に記載のハンガースタンド強化構造。
【請求項３】
上記三つのシーブセットの何れかのシーブセットに、制動器が設けられることを特徴とする請求項１に記載のハンガースタンド強化構造。
【請求項４】
上記スタンド本体の縦方向挿設槽と中央のシーブ挿設穴とが、同一軸心を有し、上記縦方向挿設槽が、リング状で、上記シーブ挿設穴が、管状突出柱により、上記リング状挿設槽の裏面に形成された凹槽に貫設されることを特徴とする請求項１に記載のハンガースタンド強化構造。
【請求項５】
上記スタンド本体の底面両端にあるシーブ挿設穴が、管状突出柱から形成されることを特徴とする請求項１に記載のハンガースタンド強化構造。
【考案の詳細な説明】
【技術分野】
【０００１】
本考案は、ハンガーに関し、特に、スタンド全体の負荷性が向上される三つのシーブ式のスタンド強化構造に関する。
【背景技術】
【０００２】
既存の、市販のDIY組立て式ハンガーは、種類が多いが、殆ど、二つのスタンドを有し、二つのスタンドの間に、横方向支持棒が連接され、二つのスタンドの頂面に、垂直的に、伸縮縦棒が設置され、また、二つの伸縮縦棒に、吊り下げ棒が設置され、これにより、ハンガー構造が形成される。一般として、関係業者は、コストダウンや組立ての簡素化のため、そのスタンドが、プラスチックによって一体成型され、スタンドの頂面に、伸縮縦棒が挿設されるための挿設槽が設置され、上記スタンドの底面において、両端に、ハンガーが摺動変位できるように、シーブセットが組み立てられる。
【０００３】
従来のハンガーは、そのスタンドの両端だけにシーブが設置され、スタンドの底面の中央が支持されないため、多い衣服を掛けると、スタンドの中央に、膨大の応力が印加され、長期使用すると、上記スタンド材料の疲れにより、負荷能力が失って損害になる問題がある。そのため、ハンガーに、双棒式の吊り下げ棒を利用すれば、その負荷能力が倍になるはずであるが、両端のシーブセットだけでは、負荷能力が不足になる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の目的は、スタンド本体の底面両端と中央に、それぞれ、シーブセットが設置され、上記三つのシーブセットにより、スタンドの負荷能力が向上され、特に、双棒式のハンガーに適用できるハンガースタンド強化構造を提供する。
【課題を解決するための手段】
【０００６】
請求項１の考案は、頂面に、少なくとも一つの縦方向挿設槽が設けられ、側辺に、少なくとも一つの横方向挿入槽が設けられ、底面の両端と中央において、それぞれ、シーブ挿設穴があるスタンド本体と、それぞれ、スタンド本体のシーブ挿設穴に貫設されるための貫設柱を有する三つのシーブセットと、が含有される、ことを特徴とするハンガースタンド強化構造である。
【０００７】
請求項２の考案は、上記スタンド本体が、底面が開口した長尺状中空体で、内部において、交差して連結された強化リブが配置され、上記スタンド本体の頂面の両側辺に、それぞれ、一段の凹角側辺が形成され、上記らの横方向挿入槽が、上記凹角側辺に設置されることを特徴とする請求項１に記載のハンガースタンド強化構造である。
【０００８】
請求項３の考案は、上記三つのシーブセットの何れかのシーブセットに、制動器が設けられることを特徴とする請求項１に記載のハンガースタンド強化構造である。
【０００９】
請求項４の考案は、上記スタンド本体の縦方向挿設槽と中央のシーブ挿設穴とが、同一軸心を有し、上記縦方向挿設槽が、リング状で、上記シーブ挿設穴が、管状突出柱により、上記リング状挿設槽の裏面に形成された凹槽に貫設されることを特徴とする請求項１に記載のハンガースタンド強化構造である。
【００１０】
請求項５の考案は、上記スタンド本体の底面両端にあるシーブ挿設穴が、管状突出柱から形成されることを特徴とする請求項１に記載のハンガースタンド強化構造である。
【００１１】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１２】
図１乃至図６のように、本考案は、ハンガースタンド強化構造であり、上記スタンド10は、頂面に、ハンガー20の両側にある伸縮縦棒21が挿設されるために、少なくとも一つの縦方向挿設槽110が設けられ、横方向の側辺に、更に、両側のスタンド10の間にある横方向支持棒22が挿設されるために、少なくとも一つの横方向挿入槽111が設けられ、また、底面の両端と中央に、それぞれ、シーブ挿設穴112、113、114が設けられるスタンド本体11と、それぞれ、スタンド本体11のシーブ挿設穴112、113、114に貫設されるための貫設柱121、131、141を有する三つのシーブセット12、13、14と、が含有される。
【００１３】
本実施例によれば、上記スタンド本体11は、底面が開口した長尺状中空体で、内部に、交差して連結された強化リブ115が配置され、上記スタンド本体11の頂面の両側辺に、それぞれ、一段の凹角側辺116が形成され、上記らの横方向挿入槽111が、上記凹角側辺116に設置される。
【００１４】
また、上記三つのシーブセット12、13、14の何れかのシーブセット12に、制動器122が設けられる。
【００１５】
また、上記スタンド本体11の縦方向挿設槽110と中央のシーブ挿設穴114は、同一軸心を有し、上記縦方向挿設槽110が、伸縮縦棒21が貫設されるように、リング状であり、上記シーブ挿設穴114が、管状突出柱117により、上記リング状挿設槽110の裏面に形成された凹槽118の中心に設置される。
【００１６】
また、上記スタンド本体11の底面両端にあるシーブ挿設穴112、113は、管状突出柱119から形成される。
【００１７】
上記の構成を有するハンガースタンド強化構造は、図６と図７のように、上記ハンガー20の上端にある吊り下げ棒23に、多めに衣物が吊り下げられた時、膨大な負荷になり、その膨大な負荷が、両側の伸縮縦棒21から二つのスタンド10に転移され、従来のスタンドは、二つのシーブセット12、13だけがスタンド10の両端に設置されるため、スタンド10の中央が、支持されていなく、負荷がそれに集中すると、その負荷により、変形したり、損害したりする恐れがあり、本考案の場合は、スタンド本体11の両端にあるシーブセット12、13の間に、更に、一つのシーブセット14が設置され、吊り下げられた衣物の重さが、それぞれ、三つのシーブセット12、13、14によって支持され、ハンガー30の負荷能力が向上され、そのため、本考案は、双棒式のハンガー30のような負荷の大きいハンガーに、より適合する。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の立体図
【図２】本考案の立体分解図
【図３】本考案の他の角度から見た時の立体図
【図４】本考案の更に他の角度から見た時の立体分解図
【図５】本考案の組立て断面図
【図６】本考案をハンガーに適用した状態の立体図
【図７】本考案を適用したハンガーに、衣物が吊り下げられた時の参考図
【符号の説明】
【００２１】
10  スタンド
11  スタンド本体
110  挿設槽
111  横方向挿入槽
112、113、114シーブ挿設穴
115  強化リブ
116  凹角側辺
117  管状突出柱
118  凹槽
119  管状突出柱
12、13、14  シーブセット
121、131、141  貫設柱
122  制動器
20  ハンガー
21  伸縮縦棒
22  横方向支持棒
23  吊り下げ棒
【図１】
0003187061.tif 000003
【図２】
0003187061.tif 000004
【図３】
0003187061.tif 000005
【図４】
0003187061.tif 000006
【図５】
0003187061.tif 000007
【図６】
0003187061.tif 000008
【図７】
0003187061.tif 000009